(57)【要約】  本発明の実施形態は、ユーザインターフェース上にフォルダを作成するための方法および端末に関する。この方法は、端末がユーザの複数の選択動作を受信するステップであって、複数の選択動作が、ユーザがユーザインターフェース上で少なくとも2つのアイコンに関して同時に実行した選択動作を指す、受信するステップと、端末が、それらの複数の選択動作に従って、ユーザインターフェース上に新しいフォルダを作成するステップと、端末が、ユーザがユーザインターフェース上で同時に選択した少なくとも2つのアイコンを新しいフォルダ内に配置するステップとを含む。
2015524123.tif 000002
【特許請求の範囲】
【請求項１】
ユーザインターフェース上にフォルダを作成するための方法であって、
端末がユーザの複数の選択動作を受信するステップであって、前記複数の選択動作が、前記ユーザがユーザインターフェース上で少なくとも2つのアイコンに関して同時に実行した選択動作を指す、受信するステップと、
前記端末が、前記複数の選択動作に従って、前記ユーザインターフェース上に新しいフォルダを作成するステップと、
前記端末が、前記ユーザが前記ユーザインターフェース上で同時に選択した前記少なくとも2つのアイコンを前記新しいフォルダ内に配置するステップと
を含む方法。
【請求項２】
前記ユーザがユーザインターフェース上で少なくとも2つのアイコンに関して同時に実行した前記選択動作が、
前記ユーザが前記ユーザインターフェース上で前記少なくとも2つのアイコンに関する保持動作を実行するステップを含み、前記保持動作が、第1の時間しきい値以上である時間にわたって、前記少なくとも2つのアイコンを保持することを指す、請求項1に記載の方法。
【請求項３】
前記ユーザがユーザインターフェース上で少なくとも2つのアイコンに関して同時に実行した前記選択動作が、
前記ユーザが前記ユーザインターフェース上で前記少なくとも2つのアイコンを一緒にドラッグするステップを含み、前記ドラッグするステップが、前記少なくとも2つのアイコンを同時に保持して、前記少なくとも2つのアイコンの間の重複領域が第1の領域しきい値以上になるように移動させるステップを指す、請求項1に記載の方法。
【請求項４】
前記端末が、前記複数の選択動作に従って、前記ユーザインターフェース上に新しいフォルダを作成する前記ステップの後、
前記端末が、前記新しいフォルダの名前を入力するように前記ユーザに催促するステップと、
前記端末が、前記ユーザが前記催促に従って入力したフォルダ名を受信するステップと、
前記端末が、前記ユーザが入力した前記フォルダ名を用いて前記新しいフォルダに名前を付けるステップと
をさらに含む、請求項1から3のいずれか一項に記載の方法。
【請求項５】
ディスプレイと、受信機と、プロセッサと、メモリとを含む端末であって、
前記ディスプレイが、ユーザインターフェースを表示するように構成され、
前記受信機が、ユーザの複数の選択動作を受信して、前記複数の選択動作を前記プロセッサに送信するように構成され、前記複数の選択動作が、前記ユーザが前記ユーザインターフェース上で少なくとも2つのアイコンに関して同時に実行した選択動作を指し、
前記プロセッサが、前記複数の選択動作を受信して、前記複数の選択動作に従って、前記メモリ上に新しいフォルダを作成して、前記ユーザが前記ユーザインターフェース上で同時に選択した前記少なくとも2つのアイコンを前記新しいフォルダ内に配置して、前記ディスプレイ上の前記ユーザインターフェース上に前記新しいフォルダを表示するように構成される端末。
【請求項６】
前記受信機が、
前記ユーザが前記ユーザインターフェース上で前記少なくとも2つのアイコンに関して実行した保持動作を受信して、前記受信した保持動作を前記プロセッサに送信するように特に構成され、前記保持動作が、第1の時間しきい値以上である時間にわたって、前記少なくとも2つのアイコンを保持することを指す、請求項5に記載の端末。
【請求項７】
前記受信機が、
前記ユーザインターフェース上で前記少なくとも2つのアイコンを一緒にドラッグする前記ユーザの動作を受信することであって、前記ドラッグすることが、前記少なくとも2つのアイコンを同時に保持して、移動させることを指す、受信することと、前記受信した移動動作を前記プロセッサに送信することと
を行うように特に構成される、請求項5に記載の端末。
【請求項８】
前記プロセッサが前記ユーザインターフェース上に前記新しいフォルダを表示する前に、
前記プロセッサが、前記ディスプレイ上の前記ユーザインターフェース上に催促インターフェースを表示して、前記新しいフォルダの名前を入力するように前記ユーザに催促することと、
前記受信機が、前記ユーザが前記催促に従って入力したフォルダ名を受信して、前記フォルダ名を前記プロセッサに送信することと、
前記プロセッサが、前記ユーザが入力した前記フォルダ名を用いて前記新しいフォルダに名前を付けることと
をさらに含む、請求項5から7のいずれか一項に記載の端末。
【発明の詳細な説明】
【技術分野】
【０００１】
関連出願の相互参照
本出願は、その全体が参照により本明細書に組み込まれている、2012年6月20日に中国特許庁に出願した、「METHOD AND TERMINAL FOR CREATING FOLDER ON USER INTERFACE」という表題の中国特許出願第CN 201210204458.X号の優先権を主張するものである。
【０００２】
本発明は、通信の分野に関し、より詳細には、ユーザインターフェース上にフォルダを作成するための方法および端末に関する。
【背景技術】
【０００３】
端末の急激な普及に伴って、端末上にロードされる様々なアプリケーションが増大している。ユーザが端末上で様々なアプリケーションを管理するのをより良好に支援するために、端末の種々の管理方法が提案されている。最も頻繁に使用される管理方法は、フォルダ管理方法である。
【０００４】
現在、先行技術において、様々なアプリケーションを管理するために、端末上にフォルダを作成する方法は以下の通りである。すなわち、端末のディスプレイ画面上で、様々なアプリケーションがグリッドのように提示および配列され、ユーザはあるアプリケーションアイコンをもう1つのアプリケーションアイコンにドラッグして、2つのアプリケーションアイコンを重複させ、ドラッグされたアプリケーションアイコンが他のアプリケーションアイコンに達するとき、ドラッグされたアプリケーションアイコンの中心点から新しいアプリケーションアイコンの中心点までの距離が事前設定されたしきい値未満である場合、フォルダが形成されて、端末はその新しいフォルダに自動的に名前を付ける。
【０００５】
先行技術の欠点は、以下の通りである。すなわち、端末のタッチスクリーンが大きく、ユーザが複数のアプリケーションアイコンを有するとき、アプリケーションアイコンが照合される(collated)必要がある場合、ユーザは各アプリケーションアイコンにタッチして、それをドラッグすることだけが可能であるため、ユーザはアプリケーションをドラッグし続けて、同じ動作を何度も繰り返す必要があり、これは非常に低い照合効率につながり、さらに、モバイル端末のタッチスクリーンが大きいとき、ユーザがあるアプリケーションアイコンを別のアプリケーションアイコンにドラッグするときにドラッグエラーが発生しがちであり、異なるタイプの2つのアプリケーションアイコンは重複して、誤ったフォルダを形成しがちである。
【発明の概要】
【発明が解決しようとする課題】
【０００６】
本発明の実施形態の目的は、先行技術における、低い管理効率の問題、および誤ったフォルダを形成しがちであるという問題を解決して、ユーザインターフェース上にフォルダを作成するための方法および端末を提供することである。
【課題を解決するための手段】
【０００７】
第1の態様によれば、本発明の一実施形態は、ユーザインターフェース上にフォルダを作成するための方法であって、
端末がユーザの複数の選択動作を受信するステップであって、複数の選択動作が、ユーザがユーザインターフェース上で少なくとも2つのアイコンに関して同時に実行した選択動作を指す、受信するステップと、
端末が、それらの複数の選択動作に従って、ユーザインターフェース上に新しいフォルダを作成するステップと、
端末が、ユーザがユーザインターフェース上で同時に選択した少なくとも2つのアイコンを新しいフォルダ内に配置するステップと
を含む方法を提供する。
【０００８】
第2の態様によれば、本発明の一実施形態は、ディスプレイと、受信機と、プロセッサと、メモリとを含む端末であって、
ディスプレイが、ユーザインターフェースを表示するように構成され、
受信機が、ユーザの複数の選択動作を受信して、それらの複数の選択動作をプロセッサに送信するように構成され、複数の選択動作が、ユーザがユーザインターフェース上で少なくとも2つのアイコンに関して同時に実行した選択動作を指し、
プロセッサが、それらの複数の選択動作を受信して、それらの複数の選択動作に従って、メモリ上に新しいフォルダを作成して、ユーザがユーザインターフェース上で同時に選択した少なくとも2つのアイコンを新しいフォルダ内に配置して、ディスプレイ上のユーザインターフェース上に新しいフォルダを表示するように構成される端末を提供する。
【０００９】
本発明のこれらの実施形態で開示される、ユーザインターフェース上にフォルダを作成するための方法および端末によれば、端末は、ユーザが少なくとも2つのアイコンに関して同時に実行した複数の選択動作を受信して、そのユーザ動作に従って、新しいフォルダを作成する。端末は、ユーザが少なくとも2つのアイコンに関して同時に実行した選択動作を受信することができるため、先行技術と比較して、アプリケーションを管理するユーザ効率が効果的に改善され、誤ったフォルダを作成する確率が低減される。
【００１０】
本発明のこれらの実施形態の技術的解決策をより明瞭に説明するために、以下は、これらの実施形態を説明するために必要とされる添付の図面を手短に紹介する。明らかに、以下の説明において添付の図面は、本発明の単にいくつかの実施形態を示し、当業者は、創造的な努力なしに、これらの添付の図面から他の図面を依然として導出することが可能である。
【図面の簡単な説明】
【００１１】
【図１】先行技術における、フォルダを作成する概略図である。
【図２】本発明の一実施形態による、ユーザインターフェース上にフォルダを作成するための方法の流れ図である。
【図３】本発明の一実施形態による、ユーザインターフェース上にフォルダを作成するための方法の特定の流れ図である。
【図４】本発明の一実施形態による、ユーザインターフェース上に複数のアイコンを表示する概略図である。
【図５】本発明の一実施形態による、ユーザの複数の選択保持(hold-down)動作の概略図である。
【図６】本発明の一実施形態による、ユーザの複数の選択ドラッグ動作の概略図である。
【図７】本発明の一実施形態による、催促されるとき、フォルダ名を入力する概略図である。
【図８】本発明の一実施形態による、フォルダを保存する概略図である。
【図９】本発明の一実施形態による、フォルダを表示する概略図である。
【図１０】本発明の一実施形態による、端末の装置図である。
【発明を実施するための形態】
【００１２】
本発明のこれらの実施形態の目的、技術的解決策、および利点を明瞭にするために、以下は、本発明のこれらの実施形態の添付の図面を参照して、本発明のこれらの実施形態の技術的解決策を明瞭かつ完全に説明する。明らかに、説明される実施形態は、本発明のこれらの実施形態のすべてではなく一部である。創造的な努力なしに、本発明のこれらの実施形態に基づいて、当業者によって取得されるすべての他の実施形態は、本発明の保護範囲に包含されるべきである。
【００１３】
本発明のこれらの実施形態の理解を容易にするために、以下は、添付の図面を参照して、本発明の特定の実施形態をさらに説明する。これらの実施形態は、本発明のこれらの実施形態に対して何ら限定するものではない。
【００１４】
図2は、本発明の一実施形態による、ユーザインターフェース上にフォルダを作成するための方法を説明する一例として使用される。図2は、本発明の一実施形態による、ユーザインターフェース上にフォルダを作成するための方法の流れ図である。
【００１５】
端末のユーザインターフェース上には、複数のアイコン、たとえば、アプリケーションアイコン(SinaGo、NetEaseニュース、およびBBCニュース)、写真アイコン、またはサムネイルアイコンなど、多くのタイプのアイコンが存在し得る。本発明の本実施形態をよりよく説明するために、以下の説明は、一例としてアプリケーションアイコンを使用する。端末のユーザインターフェースは非常に多くのアイコンであふれており、これは、端末を管理および使用する際にユーザに深刻な影響を及ぼす。本発明の本実施形態では、端末のユーザインターフェース上で、ユーザは、少なくとも2つのアイコンを選択して、それらの2つのアイコンを指で同時に保持する。ユーザがそれらのアイコンに触れたときに生成された複数の選択動作を受信した後、端末は、それらの複数の選択動作に従って、ユーザインターフェース上に、ユーザが選択したそれらの複数のアイコンに関する新しいフォルダを作成する。図2に示すように、特定の実装ステップは以下の通りである。
【００１６】
ステップ210:  端末がユーザの複数の選択動作を受信する。
【００１７】
具体的には、端末のユーザインターフェースは、SinaGo、NetEaseニュース、およびBBCニュースなど、複数のアプリケーションアイコンを表示する。本発明の本実施形態では、端末のユーザインターフェース上で、ユーザは少なくとも2つのアイコンを同時に選択する。たとえば、ユーザが第1のアイコンを指で保持して、第1の選択動作信号を生成しながら、ユーザは第2のアイコンを指で保持して、第2の選択動作信号を生成する。
【００１８】
ステップ220:  端末が、それらの複数の選択動作に従って、ユーザインターフェース上に新しいフォルダを作成する。
【００１９】
具体的には、端末が、ユーザが選択を行うときに生成された複数の選択動作信号を受信した後、端末は、受信した動作信号に従って、ユーザインターフェース上に新しいフォルダを作成する。
【００２０】
ステップ230:  端末が、ユーザがユーザインターフェース上で同時に選択した少なくとも2つのアイコンを新しいフォルダ内に配置する。
【００２１】
具体的には、ステップ220の説明に従って、端末が、ユーザが少なくとも2つのアイコンを同時に選択したときに生成された動作信号を受信した場合、端末は、ユーザが選択した少なくとも2つのアイコンに関する新しいフォルダを生成して、同時に、ユーザが選択した少なくとも2つのアイコンを新しいフォルダ内に配置する。
【００２２】
本発明の本実施形態で開示される、ユーザインターフェース上にフォルダを作成するための方法によれば、端末は、ユーザが少なくとも2つのアイコンに関して同時に実行した複数の選択動作を受信して、そのユーザ動作に従って、新しいフォルダを作成する。端末は、ユーザが少なくとも2つのアイコンに関して同時に実行した選択動作を受信することができるため、先行技術と比較して、アプリケーションを管理するユーザ効率が効果的に改善されて、誤ったフォルダを作成する確率が低減される。
【００２３】
本発明のこれらの実施形態の理解を容易にするために、以下は、添付の図面を参照して、本発明の特定の実施形態をさらに説明する。これらの実施形態は、本発明のこれらの実施形態に対して何ら限定するものではないことに留意されたい。
【００２４】
図3は、本発明の別の方法実施形態を示し、本発明の一実施形態による、ユーザインターフェース上にフォルダを作成するための方法が、図3を参照して以下で詳細に説明される。
【００２５】
端末のユーザインターフェース上には、複数のアプリケーションアイコン、たとえば、SinaGo、NetEaseニュース、およびBBCニュースが存在し得る。端末のユーザインターフェースは非常に多くのアイコンであふれており、これは、端末を管理および使用する際にユーザに深刻な影響を及ぼす。本発明の本実施形態では、端末のユーザインターフェース上で、ユーザは、少なくとも2つのアイコンを選択して、それらの2つのアイコンを指で同時に保持する。ユーザがそれらのアイコンに触れたときに生成された複数の選択動作を受信した後、端末は、それらの複数の選択動作に従って、ユーザインターフェース上に、ユーザが選択したそれらの複数のアイコンに関する新しいフォルダを作成する。図3に示すように、特定の実装ステップは以下の通りである。
【００２６】
ステップ310:  端末がユーザの複数の選択動作を受信する。
【００２７】
具体的には、図4に示すように、端末のユーザインターフェースは、SinaGo、NetEaseニュース、およびBBCニュースなど、複数のアプリケーションアイコンを表示する。本発明の本実施形態では、端末のユーザインターフェース上で、ユーザは少なくとも2つのアイコンを同時に選択する。たとえば、図5に示すように、ユーザが第1のアイコンSinaGoを指で保持して、第1の選択動作信号を生成しながら、ユーザは第2のアイコンNetEaseニュースを指で保持して、第2の選択動作信号を生成する。
【００２８】
ユーザの複数の選択動作は、ユーザが少なくとも2つのアイコンに関して同時に実行した保持動作であってよく、この場合、保持動作は、第1の時間しきい値以上である時間にわたって、それらの少なくとも2つのアイコンを保持することを指すことに留意されたい。具体的には、ユーザが、端末のユーザインターフェース上で、新しいフォルダ内に配置されることが予想される少なくとも2つのアイコンを選択した後、ユーザは、それらの少なくとも2つの選択されたアイコンを保持することができる。端末は、ユーザがそれらの少なくとも2つの選択されたアイコンをどれだけ長く保持しているかを示す時間値を認識して、ユーザがそれらの少なくとも2つの選択されたアイコンをどれだけ長く保持しているかを示す時間値を事前設定された時間しきい値と比較する。ユーザがそれらの少なくとも2つの選択されたアイコンをどれだけ長く保持しているかを示す時間値が事前設定された第1の時間しきい値以上である場合、端末は、ユーザ動作がそれらの少なくとも2つのアイコンに関する複数の選択動作であることを認識する。たとえば、ユーザは、2つのアプリケーションアイコン、すなわちSinaGoおよびNetEaseニュースを選択することができる。図5に示すように、ユーザがそれらの少なくとも2つの選択されたアプリケーションアイコンSinaGoおよびNetEaseニュースをどれだけ長く保持しているかを示す時間値が事前設定された第1の時間しきい値以上である場合、端末は、ユーザ動作がそれらの少なくとも2つのアプリケーションアイコンに関する複数の選択動作であることを認識する。
【００２９】
加えて、ユーザの複数の選択動作は、ユーザは少なくとも2つの選択されたアイコンを一緒にドラッグすることであり得る。ユーザが少なくとも2つの選択されたアイコンを一緒にドラッグする動作を認識した後、端末は、それらの少なくとも2つのドラッグされたアイコンの間の重複領域を事前設定された第1の領域しきい値と比較する。少なくとも2つのドラッグされたアイコンの間の重複領域が事前設定された第1の領域しきい値以上である場合、端末は、ユーザ動作がそれらの少なくとも2つのアイコンに関する複数の選択動作であることを認識する。たとえば、本発明の本実施形態では、図6に示すように、ユーザは2つのアプリケーションアイコンSinaGoおよびNetEaseニュースを選択する。2つのドラッグされたアプリケーションアイコンSinaGoおよびNetEaseニュースの間の重複領域が事前設定された第1の領域しきい値以上である場合、端末は、ユーザ動作がそれらの少なくとも2つのアプリケーションアイコンに関する複数の選択動作であることを認識する。
【００３０】
ステップ320:  少なくとも2つの選択されたアイコンに関するユーザの動作を認識した後、端末が、それらの複数の選択動作に従って、ユーザインターフェース上に新しいフォルダを作成する。
【００３１】
ステップ310に例に従って、端末は、図7に示すように、ユーザが選択した2つのアプリケーションアイコンSinaGoおよびNetEaseニュースに関する新しいフォルダを作成する。
【００３２】
ステップ330:  端末が、新しいフォルダの名前を入力するようにユーザに催促する。
【００３３】
具体的には、図7に示すように、ステップ320の説明に従って、端末が、ユーザが選択した少なくとも2つのアイコンに関する新しいフォルダを作成した後、新しいフォルダ名前付け催促ボックス(new folder naming prompt box)が端末上にポップアップする。催促ボックスは、新しいフォルダの名前を入力するようにユーザに催促する。催促ボックスは、「新しいフォルダ」など、フォルダのデフォルト名と、保存ボタンと、取消ボタンとを表示することができる。
【００３４】
ステップ340:  端末が、ユーザが催促に従って入力したフォルダ名を受信する。
【００３５】
たとえば、前述のステップで提供された例の場合、ユーザは、2つのアプリケーションアイコンSinaGoおよびNetEaseニュースの共通の特徴に従って、新しいフォルダの名前として「ニュース」をダイアログボックスに入力することができる。端末は、ユーザが入力したフォルダ名を受信して、図8に示すように、その名前を表示する。
【００３６】
ステップ350:  端末が、ユーザが入力したフォルダ名を用いてその新しいフォルダに名前を付ける。
【００３７】
具体的には、ユーザが入力したフォルダ名を受信した後、端末は、ユーザが入力した名前を新しいフォルダの名前として使用して、図9に示すように、その名前を表示する。
【００３８】
ステップ360:  端末が、ユーザインターフェース上でユーザが同時に選択した少なくとも2つのアイコンを新しいフォルダ内に配置する。
【００３９】
具体的には、このステップは、ステップ350の後に行われるか、もしくはステップ320とステップ330との間で行われるか、または端末が新しいフォルダを作成した後、かつ新しいフォルダがユーザに表示される前のいずれかの時点で行われ、これは本発明の本実施形態で限定されない。
【００４０】
加えて、ステップ310における認識に従って、ユーザがそれらの少なくとも2つの選択されたアイコンをどれだけ長く保持しているかを示す時間値が事前設定された第1の時間しきい値未満である場合、または少なくとも2つのドラッグされたアプリケーションアイコンの間の重複領域が事前設定された第1の領域しきい値未満である場合、端末は、ユーザ動作がそれらの少なくとも2つのアイコンに関する複数の選択動作であると判断せず、新しいフォルダを作成せず、ユーザが選択したアイコンは変更されない状態にとどまることに留意されたい。
【００４１】
本発明の本実施形態で開示される、ユーザインターフェース上にフォルダを作成するための方法によれば、端末は、少なくとも2つのアイコンに関してユーザが同時に実行した複数の選択動作を受信して、そのユーザ動作に従って、新しいフォルダを作成する。端末は、ユーザが少なくとも2つのアイコンに関して同時に実行した選択動作を受信することができるため、先行技術と比較して、アプリケーションを管理するユーザ効率が効果的に改善されて、誤ったフォルダを作成する確率が低減される。加えて、本実施形態では、ユーザの特定の複数の選択動作形式がさらに説明され、ユーザは新しいフォルダに名前を付けるように催促され、これは、アプリケーションを管理するユーザ効率をさらに高める。
【００４２】
ユーザインターフェース上にフォルダを作成するための方法に対応して、本発明は、端末の一実施形態をさらに開示する。端末は、図10に示すように、図2および図3に示した実施形態を実施することができる。
【００４３】
端末は、ディスプレイ1010と、受信機1020と、プロセッサ1030と、メモリ1040とを含む。
【００４４】
ディスプレイ1010は、ユーザインターフェースを表示するように構成される。
【００４５】
受信機1020は、ユーザの複数の選択動作を受信して、それらの複数の選択動作をプロセッサ1030に送信するように構成され、複数の選択動作は、ユーザがユーザインターフェース上で少なくとも2つのアイコンに関して同時に実行した選択動作を指す。
【００４６】
プロセッサ1030は、複数の選択動作を受信して、それらの複数の選択動作に従って、メモリ1040上に新しいフォルダを作成して、ユーザがユーザインターフェース上で同時に選択したそれらの少なくとも2つのアイコンを新しいフォルダ内に配置して、ディスプレイ上のユーザインターフェース上に新しいフォルダを表示するように構成される。
【００４７】
受信機1020は、具体的には、ユーザがユーザインターフェース上で少なくとも2つのアイコンに関して実行した保持動作を受信して、受信した保持動作をプロセッサに送信するように構成され、保持動作は、第1の時間しきい値以上の時間にわたって、それらの少なくとも2つのアイコンを保持することを指す。
【００４８】
受信機1020は、具体的には、ユーザインターフェース上で少なくとも2つのアイコンを一緒にドラッグするユーザの動作を受信することであって、ドラッグすることが、それらの少なくとも2つのアイコンを同時に保持して、移動させることを指す、受信することと、受信した移動動作をプロセッサ1030に送信することとを行うように構成される。
【００４９】
プロセッサ1030がユーザインターフェース上に新しいフォルダを表示する前に、以下、すなわち、
プロセッサ1030が、ディスプレイ上のユーザインターフェース上に催促インターフェースを表示して、新しいフォルダの名前を入力するようにユーザに催促することと、
受信機1020が、ユーザが催促に従って入力したフォルダ名を受信して、そのフォルダ名をプロセッサに送信することと、
プロセッサ1030が、ユーザが入力したフォルダ名を用いて新しいフォルダに名前を付けることと
がさらに含まれる。
【００５０】
前述では、端末内の各部分の機能を手短に説明した。以下は、端末内の各部分の動作プロセスを詳細に説明する。ディスプレイ1010が表示するユーザインターフェースは、SinaGo、NetEaseニュース、およびBBCニュースなど、複数のアプリケーションアイコンを表示する。本発明の本実施形態では、ユーザはユーザインターフェース上で少なくとも2つのアイコンを同時に選択する。たとえば、ユーザが第1のアイコンを指で保持して、第1の選択動作信号をしながら、ユーザは第2のアイコンを指で保持して、第2の選択動作信号を生成する。
【００５１】
受信機1020は、ユーザの複数の選択動作を受信し、この場合、ユーザの複数の選択動作は、ユーザが少なくとも2つのアイコンに関して同時に実行した保持動作であってよく、この場合、保持動作は、第1の時間しきい値以上である時間にわたって、それらの少なくとも2つのアイコンを保持することを指す。具体的には、ユーザが、ユーザインターフェース上で、新しいフォルダ内に配置されることが予想される少なくとも2つのアイコンを選択した後、ユーザは、それらの少なくとも2つの選択されたアイコンを保持することができる。受信機1020は、ユーザの保持動作をプロセッサ1030に送信する。プロセッサ1030は、ユーザがそれらの少なくとも2つの選択されたアイコンをどれだけ長く保持しているかを示す時間値を認識して、ユーザがそれらの少なくとも2つの選択されたアイコンをどれだけ長く保持しているかを示す時間値を事前設定された第1の時間しきい値と比較する。ユーザがそれらの少なくとも2つの選択アイコンをどれだけ長く保持しているかを示す時間値が事前設定された第1の時間しきい値以上である場合、プロセッサ1030は、ユーザ動作がそれらの少なくとも2つのアイコンに関する複数の選択動作であることを認識する。たとえば、ユーザは、2つのアプリケーションアイコン、すなわちSinaGoおよびNetEaseニュースを選択することができる。ユーザがそれらの少なくとも2つの選択されたアプリケーションアイコンSinaGoおよびNetEaseニュースをどれだけ長く保持しているかを示す時間値が事前設定された第1の時間しきい値以上である場合、プロセッサ1030は、ユーザ動作が少なくとも2つのアプリケーションアイコンに関する複数の選択動作であることを認識する。
【００５２】
加えて、ユーザの複数の選択動作は、以下、すなわち、ユーザが少なくとも2つの選択されたアイコンを一緒にドラッグすることであり得る。受信機1020は、ユーザのドラッグ動作を受信して、受信したドラッグ動作をプロセッサ1030に送信する。少なくとも2つの選択されたアイコンを一緒にドラッグするユーザの動作を認識した後、プロセッサ1030は、それらの少なくとも2つのドラッグされたアイコンの間の重複領域を事前設定された第1の領域しきい値と比較する。少なくとも2つのドラッグされたアイコンの間の重複領域が事前設定された第1の領域しきい値以上である場合、プロセッサ1030は、ユーザ動作がそれらの少なくとも2つのアイコンに関する複数の選択動作であることを認識する。たとえば、本発明の本実施形態では、ユーザは2つのアプリケーションアイコンSinaGoおよびNetEaseニュースを選択する。2つのドラッグされたアプリケーションアイコンSinaGoおよびNetEaseニュースの間の重複領域が事前設定された第1の領域しきい値以上である場合、プロセッサ1030は、ユーザ動作が、それらの少なくとも2つのアプリケーションアイコンに関する複数の選択動作であることを認識する。
【００５３】
プロセッサ1030は、メモリ1040上に、ユーザが選択した2つのアプリケーションアイコンSinaGoおよびNetEaseニュースに関する新しいフォルダを作成する。
【００５４】
プロセッサ1030が、ユーザが選択した少なくとも2つのアイコンに関する新しいフォルダを作成した後、新しいフォルダ名前付け催促ボックスがポップアップする。催促ボックスは、新しいフォルダの名前を入力するようにユーザに催促する。催促ボックスは、「新しいフォルダ」など、フォルダのデフォルト名と、保存ボタンと、取消ボタンとを表示することができる。
【００５５】
たとえば、前述のステップで提供された例の場合、ユーザは、2つのアプリケーションアイコンSinaGoおよびNetEaseニュースの共通の特徴に従って、新しいフォルダの名前として「ニュース」をダイアログボックスに入力することができる。受信機1020は、ユーザが入力したフォルダ名を受信して、その名前を表示する。
【００５６】
ユーザが入力したフォルダ名を受信した後、受信機1020は、ユーザが催促されるとき入力した、受信したフォルダ名をプロセッサ1030に送信して、プロセッサ1030は、ユーザが入力した名前を新しいフォルダの名前として使用して、その名前を表示する。
【００５７】
加えて、ユーザがそれらの少なくとも2つの選択されたアイコンをどれだけ長く保持しているかを示す時間値が事前設定された第1の時間しきい値未満である場合、または少なくとも2つのドラッグされたアプリケーションアイコンの間の重複領域が事前設定された第1の領域しきい値未満である場合、プロセッサ1030は、ユーザ動作がそれらの少なくとも2つのアイコンに関する複数の選択動作であることを判断せず、新しいフォルダを作成せず、ユーザが選択したアプリケーションアイコンは変更されない状態にとどまることに留意されたい。
【００５８】
本発明の本実施形態で開示される、ユーザインターフェース上にフォルダを作成するための装置では、受信機は、少なくとも2つのアイコンに関してユーザが同時に実行した複数の選択動作を受信して、受信したユーザ動作をプロセッサに送信する。プロセッサは、受信機が送信した動作に従って、メモリ上に新しいフォルダを作成する。受信機は、ユーザが少なくとも2つのアイコンに関して同時に実行した選択動作を受信することができるため、先行技術と比較して、アプリケーションを管理するユーザ効率が効果的に改善されて、誤ったフォルダを作成する確率が低減される。加えて、本実施形態では、ユーザの特定の複数の選択動作形式がさらに説明され、ユーザは新しいフォルダに名前を付けるように催促され、これは、アプリケーションを管理するユーザ効率をさらに高める。
【００５９】
本明細書で開示された実施形態で説明された例と組み合わせて、電子ハードウェア、コンピュータソフトウェア、またはそれらの組合せによって、ユニットおよびアルゴリズムステップを実装することが可能であることを当業者はさらに認識されよう。ハードウェアとソフトウェアの間の交換可能性を明瞭に説明するために、前述では、一般に、機能による各例の構成およびステップを説明した。これらの機能は、特定のアプリケーションと、これらの技術的解決策の設計制約条件とに応じて、ハードウェアまたはソフトウェアによって実行される。当業者は各特定のアプリケーションに関して説明された機能を実施するために異なる方法を使用することができるが、その実装形態は本発明の範囲を超えると見なされるべきではない。
【００６０】
本明細書で開示された実施形態を参照して説明された方法またはアルゴリズムのステップは、ハードウェアによって、もしくはプロセッサによって実行されるソフトウェアモジュールによって、またはそれらの組合せによって実装され得る。ソフトウェアモジュールは、ランダムアクセスメモリ(RAM)、メモリ、読出し専用メモリ(ROM)、電気的プログラマブルROM、電気的に消去可能プログラマブルROM、レジスタ、ハードディスク、リムーバブルディスク、CD-ROM、または当技術分野で知られている任意の他の形の記憶媒体の中に常駐し得る。
【００６１】
前述の特定の実施形態を参照して、本発明の目的、技術的解決策、および有益な効果がより詳細に説明されてきた。当然のことながら、前述の説明は、本発明の単なる特定の実施形態であるが、本発明の保護範囲を限定することを意図しない。本発明の趣旨内および原理内で行われるいずれの修正、同等の置換、または改善も本発明の保護範囲内に包含されるべきである。
【符号の説明】
【００６２】
1010  ディスプレイ
1020  受信機
1030  プロセッサ
1040  メモリ
【図１】
2015524123.tif 000003
【図２】
2015524123.tif 000004
【図３】
2015524123.tif 000005
【図４】
2015524123.tif 000006
【図５】
2015524123.tif 000007
【図６】
2015524123.tif 000008
【図７】
2015524123.tif 000009
【図８】
2015524123.tif 000010
【図９】
2015524123.tif 000011
【図１０】
2015524123.tif 000012
【手続補正書】
【提出日】平成27年1月29日(2015.1.29)
【手続補正１】
【補正対象書類名】特許請求の範囲
【補正対象項目名】全文
【補正方法】変更
【補正の内容】
【特許請求の範囲】
【請求項１】
ユーザインターフェース上にフォルダを作成するための方法であって、
端末がユーザの複数の選択動作を受信するステップであって、前記複数の選択動作が、前記ユーザがユーザインターフェース上で少なくとも2つのアイコンに関して同時に実行した選択動作を指す、受信するステップと、
前記端末が、前記複数の選択動作に従って、前記ユーザインターフェース上に新しいフォルダを作成するステップと、
前記端末が、前記ユーザが前記ユーザインターフェース上で同時に選択した前記少なくとも2つのアイコンを前記新しいフォルダ内に配置するステップと
を含む方法。
【請求項２】
前記ユーザがユーザインターフェース上で少なくとも2つのアイコンに関して同時に実行した前記選択動作が、
前記ユーザが前記ユーザインターフェース上で前記少なくとも2つのアイコンに関する保持動作を実行するステップを含み、前記保持動作が、第1の時間しきい値以上である時間にわたって、前記少なくとも2つのアイコンを保持することを指す、請求項1に記載の方法。
【請求項３】
前記ユーザがユーザインターフェース上で少なくとも2つのアイコンに関して同時に実行した前記選択動作が、
前記ユーザが前記ユーザインターフェース上で前記少なくとも2つのアイコンを一緒にドラッグするステップを含み、前記ドラッグするステップが、前記少なくとも2つのアイコンを同時に保持して、前記少なくとも2つのアイコンの間の重複領域が第1の領域しきい値以上になるように移動させるステップを指す、請求項1に記載の方法。
【請求項４】
前記端末が、前記複数の選択動作に従って、前記ユーザインターフェース上に新しいフォルダを作成する前記ステップの後、
前記端末が、前記新しいフォルダの名前を入力するように前記ユーザに催促するステップと、
前記端末が、前記ユーザが前記催促に従って入力したフォルダ名を受信するステップと、
前記端末が、前記ユーザが入力した前記フォルダ名を用いて前記新しいフォルダに名前を付けるステップと
をさらに含む、請求項1から3のいずれか一項に記載の方法。
【請求項５】
ディスプレイと、受信機と、プロセッサと、メモリとを含む端末であって、
前記ディスプレイが、ユーザインターフェースを表示するように構成され、
前記受信機が、ユーザの複数の選択動作を受信して、前記複数の選択動作を前記プロセッサに送信するように構成され、前記複数の選択動作が、前記ユーザが前記ユーザインターフェース上で少なくとも2つのアイコンに関して同時に実行した選択動作を指し、
前記プロセッサが、前記複数の選択動作を受信して、前記複数の選択動作に従って、前記メモリ上に新しいフォルダを作成して、前記ユーザが前記ユーザインターフェース上で同時に選択した前記少なくとも2つのアイコンを前記新しいフォルダ内に配置して、前記ディスプレイ上の前記ユーザインターフェース上に前記新しいフォルダを表示するように構成される端末。
【請求項６】
前記受信機が、
前記ユーザが前記ユーザインターフェース上で前記少なくとも2つのアイコンに関して実行した保持動作を受信して、前記受信した保持動作を前記プロセッサに送信するように特に構成され、前記保持動作が、第1の時間しきい値以上である時間にわたって、前記少なくとも2つのアイコンを保持することを指す、請求項5に記載の端末。
【請求項７】
前記受信機が、
前記ユーザインターフェース上で前記少なくとも2つのアイコンを一緒にドラッグする前記ユーザの動作を受信し、前記受信した移動動作を前記プロセッサに送信することであって、前記ドラッグすることが、前記少なくとも2つのアイコンを同時に保持して、移動させることを指すこと
を行うように特に構成される、請求項5に記載の端末。
【請求項８】
前記プロセッサが前記ユーザインターフェース上に前記新しいフォルダを表示する前に、
前記プロセッサが、前記ディスプレイ上の前記ユーザインターフェース上に催促インターフェースを表示して、前記新しいフォルダの名前を入力するように前記ユーザに催促することと、
前記受信機が、前記ユーザが前記催促に従って入力したフォルダ名を受信して、前記フォルダ名を前記プロセッサに送信することと、
前記プロセッサが、前記ユーザが入力した前記フォルダ名を用いて前記新しいフォルダに名前を付けることと
をさらに含む、請求項5から7のいずれか一項に記載の端末。
【手続補正２】
【補正対象書類名】明細書
【補正対象項目名】０００５
【補正方法】変更
【補正の内容】
【０００５】
先行技術の欠点は、以下の通りである。すなわち、端末のタッチスクリーンが大きく、ユーザが複数のアプリケーションアイコンを有するとき、アプリケーションアイコンが照合される(collated)必要がある場合、ユーザは各アプリケーションアイコンにタッチして、それをドラッグすることだけが可能であるため、ユーザはアプリケーションアイコンをドラッグし続けて、同じ動作を何度も繰り返す必要があり、これは非常に低い照合効率につながり、さらに、端末のタッチスクリーンが大きいとき、ユーザがあるアプリケーションアイコンを別のアプリケーションアイコンにドラッグするときにドラッグエラーが発生しがちであり、異なるタイプの2つのアプリケーションアイコンは重複して、誤ったフォルダを形成しがちである。
【手続補正３】
【補正対象書類名】明細書
【補正対象項目名】０００６
【補正方法】変更
【補正の内容】
【０００６】
本発明の実施形態は、先行技術における、低い管理効率の問題、および誤ったフォルダを形成しがちであるという問題を解決するために、ユーザインターフェース上にフォルダを作成するための方法および端末を提供する。
【手続補正４】
【補正対象書類名】明細書
【補正対象項目名】００３５
【補正方法】変更
【補正の内容】
【００３５】
たとえば、ユーザは、2つのアプリケーションアイコンSinaGoおよびNetEaseニュースの共通の特徴に従って、新しいフォルダの名前として「ニュース」を催促ボックスに入力することができる。端末は、ユーザが入力したフォルダ名を受信して、図8に示すように、その名前を表示する。
【手続補正５】
【補正対象書類名】明細書
【補正対象項目名】００４２
【補正方法】変更
【補正の内容】
【００４２】
ユーザインターフェース上にフォルダを作成するための方法に対応して、本発明は、端末をさらに開示する。端末は、図10に示すように、図2および図3に示した実施形態を実施することができる。
【手続補正６】
【補正対象書類名】明細書
【補正対象項目名】００４８
【補正方法】変更
【補正の内容】
【００４８】
受信機1020は、具体的には、ユーザインターフェース上で少なくとも2つのアイコンを一緒にドラッグするユーザの動作を受信し、受信した移動動作をプロセッサ1030に送信することであって、ドラッグすることが、それらの少なくとも2つのアイコンを同時に保持して、移動させることを指すことを行うように構成される。
【手続補正７】
【補正対象書類名】明細書
【補正対象項目名】００４９
【補正方法】変更
【補正の内容】
【００４９】
プロセッサ1030がユーザインターフェース上に新しいフォルダを表示する前に、以下、すなわち、
プロセッサ1030が、ディスプレイ上のユーザインターフェース上に催促インターフェースを表示して、新しいフォルダの名前を入力するようにユーザに催促することと、
受信機1020が、ユーザが催促に従って入力したフォルダ名を受信して、そのフォルダ名をプロセッサ1030に送信することと、
プロセッサ1030が、ユーザが入力したフォルダ名を用いて新しいフォルダに名前を付けることと
がさらに含まれる。
【手続補正８】
【補正対象書類名】明細書
【補正対象項目名】００５５
【補正方法】変更
【補正の内容】
【００５５】
たとえば、ユーザは、2つのアプリケーションアイコンSinaGoおよびNetEaseニュースの共通の特徴に従って、新しいフォルダの名前として「ニュース」をダイアログボックスに入力することができる。受信機1020は、ユーザが入力したフォルダ名を受信して、その名前を表示する。
【手続補正９】
【補正対象書類名】明細書
【補正対象項目名】００６０
【補正方法】変更
【補正の内容】
【００６０】
本明細書で開示された実施形態を参照して説明された方法のステップは、ハードウェアによって、もしくはプロセッサによって実行されるソフトウェアモジュールによって、またはそれらの組合せによって実装され得る。ソフトウェアモジュールは、ランダムアクセスメモリ(RAM)、メモリ、読出し専用メモリ(ROM)、電気的プログラマブルROM、電気的に消去可能プログラマブルROM、レジスタ、ハードディスク、リムーバブルディスク、CD-ROM、または当技術分野で知られている任意の他の形の記憶媒体の中に常駐し得る。
【手続補正１０】
【補正対象書類名】明細書
【補正対象項目名】００６１
【補正方法】変更
【補正の内容】
【００６１】
前述の特定の実施形態を参照して、本発明の目的、技術的解決策、および有益な効果がより詳細に説明されてきた。当然のことながら、前述の説明は、本発明の単なる特定の実施形態であるが、本発明の保護範囲を限定することを意図しない。本発明の原理内で行われるいずれの修正、同等の置換、または改善も本発明の保護範囲内に包含されるべきである。
【国際調査報告】
2015524123.tif 000013
2015524123.tif 000014
2015524123.tif 000015
2015524123.tif 000016